(57)【要約】      （修正有）【課題】多色印刷機等による印刷の前に予め各色版胴の見当が合うようにする印刷の初期見当合せ方法およびその装置において、見当合わせに係る操作時間を短くし、かつ容易に見当合わせの精度を向上せしめ、印刷始動時の見当不良を極力排除できるようにした、印刷の初期見当合わせ方法およびその装置の提供を目的とする。【解決手段】印刷前に予め各色版胴１の見当を合わせる印刷の初期見当合わせ方法において、前記各色版胴１がセットされている各印刷ユニット２のフレーム３と各色版胴端部４との距離を測定する測定工程５と、前記測定工程５において測定した距離と予め設定しておいた基準距離とのズレを計算する計算工程６と、前記計算工程６において計算したズレを自動で調整する調整工程７と、を有することを特徴とする。【選択図】図１
2009000849.tif 000002
【特許請求の範囲】
【請求項１】
印刷前に予め各色版胴の見当を合わせる印刷の初期見当合わせ方法において、
前記各色版胴がセットされている各印刷ユニットのフレームと各色版胴端部との距離を測定する測定工程と、
前記測定工程において測定した距離と予め設定しておいた基準距離とのズレを計算する計算工程と、
前記計算工程において計算したズレを自動で調整する調整工程と、
を有することを特徴とする印刷の初期見当合わせ方法。
【請求項２】
印刷前に予め各色版胴の見当を合わせる印刷の初期見当合わせ方法において、
前記各色版胴がセットされている各印刷ユニットのフレームと各色版胴端部との距離を測定する測定工程と、
前記測定工程において測定した距離と予め設定しておいた基準距離とのズレを計算する計算工程と、
前記計算工程において計算したズレを手動で調整する調整工程と、
を有することを特徴とする印刷の初期見当合わせ方法。
【請求項３】
印刷前に予め各色版胴の見当を合わせる印刷の初期見当合わせ装置において、
前記各色版胴がセットされている各印刷ユニットのフレームと各色版胴端部との距離を測定する測定手段と、
前記測定工程において測定した距離と予め設定しておいた基準距離とのズレを計算する計算手段と、
前記計算工程において計算したズレを自動で調整する調整手段と、
を備えることを特徴とする印刷の初期見当合わせ装置。
【請求項４】
印刷前に予め各色版胴の見当を合わせる印刷の初期見当合わせ装置において、
前記各色版胴がセットされている各印刷ユニットのフレームと各色版胴端部との距離を測定する測定手段と、
前記測定工程において測定した距離と予め設定しておいた基準距離とのズレを計算する計算手段と、
前記計算工程において計算したズレを手動で調整する調整手段と、
を備えることを特徴とする印刷の初期見当合わせ装置。
【発明の詳細な説明】
【技術分野】
【０００１】
本発明は、多色印刷機等による印刷の前に予め各色版胴の見当を合わせる印刷の初期見当合せ方法およびその装置に関するものであり、さらに詳細には、短い操作時間で、容易に初期の見当精度を上げ、印刷始動時の見当不良を極力排除できるようにした、印刷の初期見当合わせ方法およびその装置に関する。
【背景技術】
【０００２】
多色印刷機等による印刷においては、印刷品目の切替毎に、複数の印刷ユニットに版胴を取付けるが、このとき、縦（流れ）方向の見当はコンペンセーターロールを利用した初期見当合わせ、或いは版胴の位相の修正による初期見当合わせ等により行っている。しかし、横（左右）方向については、特に初期見当合わせは行わず、印刷を開始した後に作業者が実際に印刷された印刷物の状態を目視で確認しながら見当の確認を行っているのが一般的である。
【０００３】
一方、通常、多色印刷機等では、版胴を印刷機に着脱する際に印刷機にあるテーパー付シャフトを用いて版胴の両側よりチャッキング（固定）を行うが、版胴は鉄やアルミ等の材質で作られており、版胴の被チャッキング部は繰り返しチャッキングを行うため、版胴の被チャッキング部が摩耗した状態になってしまう。このため、チャッキングされた版胴の横（左右）位置は毎回同じ位置にならず、見当が合い難いという問題を生じている。
【０００４】
このように、従来の横方向の初期見当合わせでは、版胴のチャッキング部の磨耗等による位置精度のばらつきがあり、さらには各色版胴のチャッキング端面からの絵柄位置においてもばらつきがあるため、縦方向に比べて見当の誤差が大きく、刷り出しに際して印刷不良が多くなるという問題点があった。
【０００５】
このような中、横（左右）方向の見当を合わせる技術が種々提案されている。例えば、特許文献１では、版胴に＋型のレジスターマークを刻設し、レーザー光のポイントが＋型のレジスターマークと合致するように版胴の横位置を調整している。
【０００６】
しかし、この方法では、版胴に＋型のレジスターマークを刻設しなけなければならず、製版の手間を要する。
【０００７】
以下に先行技術文献を示す。
【特許文献１】特開２００７−６２１３６号公報
【発明の開示】
【発明が解決しようとする課題】
【０００８】
本発明は、かかる従来技術の問題点を解決するものであり、その課題とするところは、多色印刷機等による印刷の前に予め各色版胴の見当を合わせる印刷の初期見当合わせ方法およびその装置において、見当合わせに係る操作時間を短くし、かつ容易に見当合わせの精度を向上せしめ、印刷始動時の見当不良を極力排除できるようにした、印刷の初期見当合わせ方法およびその装置を提供することにある。
【課題を解決するための手段】
【０００９】
本発明において上記課題を達成するために、まず請求項１の発明では、印刷前に予め各色版胴の見当を合わせる印刷の初期見当合わせ方法において、
前記各色版胴がセットされている各印刷ユニットのフレームと各色版胴端部との距離を測定する測定工程と、
前記測定工程において測定した距離と予め設定しておいた基準距離とのズレを計算する計算工程と、
前記計算工程において計算したズレを自動で調整する調整工程と、
を有することを特徴とする印刷の初期見当合わせ方法としたものである。
また、請求項２の発明では、印刷前に予め各色版胴の見当を合わせる印刷の初期見当合わせ方法において、
前記各色版胴がセットされている各印刷ユニットのフレームと各色版胴端部との距離を測定する測定工程と、
前記測定工程において測定した距離と予め設定しておいた基準距離とのズレを計算する計算工程と、
前記計算工程において計算したズレを手動で調整する調整工程と、
を有することを特徴とする印刷の初期見当合わせ方法としたものである。
【００１０】
また、請求項３の発明では、印刷前に予め各色版胴の見当を合わせる印刷の初期見当合わせ装置において、
前記各色版胴がセットされている各印刷ユニットのフレームと各色版胴端部との距離を測定する測定手段と、
前記測定工程において測定した距離と予め設定しておいた基準距離とのズレを計算する計算手段と、
前記計算工程において計算したズレを自動で調整する調整手段と、
を備えることを特徴とする印刷の初期見当合わせ装置としたものである。
【００１１】
また、請求項４の発明では、印刷前に予め各色版胴の見当を合わせる印刷の初期見当合わせ装置において、
前記各色版胴がセットされている各印刷ユニットのフレームと各色版胴端部との距離を測定する測定手段と、
前記測定工程において測定した距離と予め設定しておいた基準距離とのズレを計算する計算手段と、
前記計算工程において計算したズレを手動で調整する調整手段と、
を備えることを特徴とする印刷の初期見当合わせ装置としたものである。
【発明の効果】
【００１２】
本発明は以上の構成であるから、下記に示す如き効果がある。
【００１３】
即ち、上記請求項１に係る発明によれば、印刷前に予め各色版胴の見当を合わせる印刷の初期見当合わせ方法において、
前記各色版胴がセットされている各印刷ユニットのフレームと各色版胴端部との距離を測定する測定工程と、
前記測定工程において測定した距離と予め設定しておいた基準距離とのズレを計算する計算工程と、
前記計算工程において計算したズレを自動で調整する調整工程と、
を有していることによって、各印刷ユニットのフレームと各色版胴端部との距離がほぼ同一の所定の位置になるように自動的に調整されるので、極短時間で、かつ容易に印刷始動時の横方向の初期見当の精度を向上させ、始動時における横方向の印刷見当不良を極力削減できる印刷の初期見当合わせ方法とすることができる。
【００１４】
また、上記請求項２に係る発明によれば、印刷前に予め各色版胴の見当を合わせる印刷の初期見当合わせ方法において、
前記各色版胴がセットされている各印刷ユニットのフレームと各色版胴端部との距離を測定する測定工程と、
前記測定工程において測定した距離と予め設定しておいた基準距離とのズレを計算する計算工程と、
前記計算工程において計算したズレを手動で調整する調整工程と、
を有していることによって、各印刷ユニットのフレームと各色版胴端部との距離がほぼ同一の所定の位置になるように調整されるので、短時間で、かつ容易に印刷始動時の横方向の初期見当の精度を向上させ、始動時における横方向の印刷見当不良を極力削減できる印刷の初期見当合わせ方法とすることができる。
【００１５】
また、上記請求項３に係る発明によれば、印刷前に予め各色版胴の見当を合わせる印刷の初期見当合わせ装置において、
前記各色版胴がセットされている各印刷ユニットのフレームと各色版胴端部との距離を測定する測定手段と、
前記測定工程において測定した距離と予め設定しておいた基準距離とのズレを計算する計算手段と、
前記計算工程において計算したズレを自動で調整する調整手段と、
を備えることによって、各印刷ユニットのフレームと各色版胴端部との距離がほぼ同一の所定の位置になるように自動的に調整されるので、極短時間で、かつ容易に印刷始動時の横方向の初期見当の精度を向上させ、始動時における横方向の印刷見当不良を極力削減できる印刷の初期見当合わせ装置とすることができる。
【００１６】
また、上記請求項４に係る発明によれば、印刷前に予め各色版胴の見当を合わせる印刷の初期見当合わせ装置において、
前記各色版胴がセットされている各印刷ユニットのフレームと各色版胴端部との距離を測定する測定手段と、
前記測定工程において測定した距離と予め設定しておいた基準距離とのズレを計算する計算手段と、
前記計算工程において計算したズレを手動で調整する調整手段と、
を備えることによって、各印刷ユニットのフレームと各色版胴端部との距離がほぼ同一の所定の位置になるように調整されるので、短時間で、かつ容易に印刷始動時の横方向の初期見当の精度を向上させ、始動時における横方向の印刷見当不良を極力削減できる印刷の初期見当合わせ方法とすることができる。
【発明を実施するための最良の形態】
【００１７】
以下本発明を実施するための最良の形態を図面を用いて詳細に説明する。
【００１８】
図１は、本発明の印刷の初期見当合わせ方法及びその装置の一事例を説明する説明図である。
【００１９】
上記請求項１及び３に係る発明は、印刷前に予め各色版胴の横方向の見当即ち各色版胴に刷版されている画像等の見当を合わせる印刷の初期見当合わせ方法及びその装置であって、例えば、図１の説明図に示すように、各色版胴１がセットされている各印刷ユニット２の一方のフレーム３の一定の位置に、各印刷ユニット２のフレーム３と各色版胴端部４との距離を測定する測定手段５を設置固定し、測定手段５を用いて測定した距離と予め設定しておいた基準距離とのズレを計算手段６を用いて計算し、計算手段６を用いて計算したズレを調整手段７により自動で調整するようにした、印刷の初期見当合わせ方法及びその装置である。
【００２０】
また、上記請求項２及び４に係る発明は、印刷前に予め各色版胴の横方向の見当即ち各
色版胴に刷版されている画像等の見当を合わせる印刷の初期見当合せ方法及びその装置であって、例えば、図１の説明図に示すように、各色版胴１がセットされている各印刷ユニット２の一方のフレーム３の一定の位置に、各印刷ユニットのフレーム３と各色版胴端部４との距離を測定する測定手段５を設置固定し、測定手段５を用いて測定した距離と予め設定しておいた基準距離とのズレを計算手段６を用いて計算し、計算手段６を用いて計算したズレを調整手段７により手動で調整するようにした、印刷の初期見当合わせ方法及びその装置である。
【００２１】
本発明における測定手段５としては、例えば光学式のセンサーを用いることができるが、各印刷ユニットのフレーム３と各色版胴端部４との距離を測定することができるものであればよく、必ずしもこれに限定されるものではない。そして、測定工程においては、このような測定手段５を用い、各印刷ユニットのフレーム３と各色版胴端部４との距離を測定する。
【００２２】
また、本発明における計算手段６としては、例えば各印刷ユニット２に組み込まれたＣＰＵを用いることができるが、測定手段５を用いて測定した距離と予め設定しておいた基準距離とのズレを計算することができるものであればよく、必ずしもこれに限定されるものではない。そして、計算工程においては、このような計算手段６を用い、測定手段５を用いて測定した距離と予め設定しておいた基準距離とのズレを計算する。
【００２３】
また、本発明における調整手段７としては、例えば、横見当調整モーターや横見当調整ハンドル等の、測定手段５を用いて測定した距離と予め設定しておいた基準距離とのズレを調整できるものを用いることができる。そして、調整工程においては、このような調整手段を用い、測定工程と計測工程を経て得られたズレを調整する。
【００２４】
さらには、請求項１及び３に係る発明では、例えば、各印刷ユニット２のフレーム３と各色版胴端部４との距離を、予め設定しておいた基準距離に合致させるように、例えば横見当調整モーターを自動的に動作させ、版胴１の横位置を調整する。この際に用いられる調整手段としては、ズレ量を自動的に調整できるものであれば上記以外のものも用いることができる。
【００２５】
一方、請求項２及び４に係る発明では、例えば、表示手段を用いて表示されたズレ量を、作業者が確認し、手動で横（左右）調整用操作ボタンを操作し、横見当調整モーターを動作させて、版胴１の横位置を調整したり、図２に示すように、表示手段８（図２では、横見当目盛り）に表示されたズレ量の分だけ横見当調整ハンドル９を回転させて、版胴１の横位置を調整するが、この際に用いられる調整手段としては、手動でズレ量を調整できるものであればよく、必ずしも上記したものに限定されるものではない。
【００２６】
本発明における版胴１は、回転式であり、円筒形であれば、その材質、直径、全長は、特に制限されるものではなく、版胴端部４が平坦であり、版胴１が回転しても、印刷ユニット２のフレーム３（測定手段５）と版胴端部４との距離を一定に維持できるものであればよい。
【００２７】
また、本発明において、縦見当は従来より行われているいかなる方法、装置を用いて行ってもよく、特に限定されるものではない。ここで、縦見当とは、版胴の回転方向の位置合せを行うことを言う。
【００２８】
以上のように、本発明は、自動的にあるいは手動で各印刷ユニットのフレームと各色版胴端部との距離がほぼ同一の所定の位置になるように、横見当を調整する印刷の初期見当合わせ方法およびその装置である。これにより、初期見当が各印刷ユニットで同時に短時
間で行え、かつ印刷始動時の初期見当の精度を容易に向上させ、始動時における印刷見当不良を極力削減することができる。ここで、横見当とは、版胴の幅方向の位置合せを行うことを言う。
【図面の簡単な説明】
【００２９】
【図１】本発明の印刷の初期見当合わせ方法及びその装置の一実施形態を示す説明図である。
【図２】本発明の印刷の初期見当合わせ方法及びその装置の他の実施形態を示す説明図である。
【符号の説明】
【００３０】
１  版胴
２  印刷ユニット
３  フレーム
４  版胴端部
５  測定手段
６  計算手段
７  調整手段
８  表示手段
９  横見当調整ハンドル
【図１】
2009000849.tif 000003
【図２】
2009000849.tif 000004